(57)【要約】【課題】撮影者が意図しない不用意なシャッタ釦の操作による撮影ミスを防ぐことができるようにする。【解決手段】撮影の指示に基づいて撮像手段により撮像された撮像信号を、内蔵する画像メモリ２６に記憶するカメラ装置において、カメラ装置の外面の異なる位置に配設され、操作されることによって撮影の指示を入力するシャッタ１３ａ，１３ｂと、撮影者が他者を撮影する第１の撮影モードと撮影者が自己を撮影する第２の撮影モードとを設定するためのセンサと、第１の撮影モードが設定されたときにはシャッタ１３ａの操作のみを有効とし、第２の撮影モードが設定されたときにはシャッタ１３ｂの操作のみを有効とする制御手段とを備える。【選択図】      図１
2006174444.tif 000002
【特許請求の範囲】
【請求項１】
撮影の指示に基づいて撮像手段により撮像された撮像信号を、内蔵するメモリに記憶するカメラ装置において、
前記カメラ装置の外面の異なる位置に配設され、操作されることによって撮影の指示を入力する第１及び第２の撮影指示手段と、
撮影者が他者を撮影する第１の撮影モードと撮影者が自己を撮影する第２の撮影モードを設定する撮影モード設定手段と、
前記撮影モード設定手段によって第１の撮影モードが設定されたときには前記第１の撮影指示手段の操作のみを有効とし、前記撮影モード設定手段によって第２の撮影モードが設定されたときには前記第２の撮影指示手段の操作のみを有効とする制御手段と、
を備えることを特徴とするカメラ装置。
【請求項２】
更に、前記撮像手段によって撮像される画像を順次表示し、撮影者が他者を撮影するときに視認可能な第１の姿勢と撮影者が自己を撮影するときに視認可能な第２の姿勢とに状態を変更可能な表示手段と、
前記表示手段が前記第１の姿勢と前記第２の姿勢の何れかに状態を変更されたときに、表示される画像の向きを変換させる表示制御手段と、
を備えたことを特徴とする請求項１記載のカメラ装置。
【請求項３】
更に、前記撮影モード設定手段は、前記表示手段の姿勢を検出する姿勢検出手段を含み、該姿勢検出手段は、前記表示手段が第１の姿勢であることを検出したときに第１の撮影モードを設定し、前記表示手段が第２の姿勢であることを検出したときに第２の撮影モードを設定することを特徴とする請求項１または請求項２に記載のカメラ装置。
【請求項４】
更に、撮影者が他者を撮影するときに視認可能な位置に配設され、前記第１の撮影モードが設定されたときに前記撮像手段によって撮像される画像を順次表示する第１の表示手段と、
撮影者が自己を撮影するときに視認可能な位置に配設され、前記第２の撮影モードが設定されたときに前記撮像手段によって撮像される画像を順次表示する第２の表示手段と、
を備えることを特徴とする請求項１記載のカメラ装置。
【請求項５】
撮影の指示に基づいて撮像手段により撮像された撮像信号を、内蔵するメモリに記憶するカメラ装置において、
前記カメラ装置の外面の異なる位置に配設され、操作されることによって撮影の指示を入力する第１及び第２の撮影指示手段と、
前記撮像手段によって撮像される画像を順次表示し、撮影者が他者を撮影するときに視認可能な第１の姿勢と撮影者が自己を撮影するときに視認可能な第２の姿勢とに変更可能な表示手段と、
前記表示手段が第１の姿勢にあるときには前記第２の撮影操作キーの操作を阻止し、前記表示手段が第２の姿勢にあるときには前記第１の撮影操作キーの操作を阻止する操作阻止機構と、
を備えたことを特徴とするカメラ装置。
【請求項６】
更に、前記カメラ装置は、前記メモリに記憶された画像を記録紙に印刷する印刷手段を内蔵したことを特徴とする請求項１乃至請求項５の何れかに記載のカメラ装置。
【発明の詳細な説明】
【技術分野】
【０００１】
本発明は、被写体を撮影レンズ及び光電変換素子からなる撮像手段で撮像し、その撮像信号をメモリに記憶するカメラ装置に関する。
【背景技術】
【０００２】
通常、カメラ装置は撮影者が被写体となる人物や風景にカメラのレンズを向けて撮影を行われるが、撮影者がカメラのレンズを自分に向けて自分自身或いは他者及び自分を被写体として撮影することも行われることがある。
【０００３】
カメラ装置では、通常は撮影者が他者を撮影するものであり、シャッタ釦は操作しやすい位置に配設されている。ところが、自己を撮影する場合にカメラを持ち替えて自己にレンズを向けると、前記シャッタ釦の位置は手指が届きにくい位置にあり操作がうまくできない。そこで、前記シャッタ釦とは別に自己撮影時に使用するためのシャッタ釦をカメラ装置の別の位置に設けることが考えられている。
【発明の開示】
【発明が解決しようとする課題】
【０００４】
しかしながら、従来のカメラ装置では、複数のシャッタ釦を異なる位置に設けた場合には、撮影者がカメラをホールドする際に意図しないで、一方のシャッタ釦に接触してこれを操作してしまう虞があり、撮影ミスが生じる可能性がある。
【０００５】
本発明は、前記のような問題に鑑みなされたもので、他者を撮影するために使用するシャッタ釦と自己を撮影するために使用するシャッタ釦を備えるカメラ装置にあって、撮影者が意図しない不用意なシャッタ釦の操作による撮影ミスを防ぐことができるカメラ装置を提供することを目的とする。
【課題を解決するための手段】
【０００６】
本発明は、撮影の指示に基づいて撮像手段により撮像された撮像信号を、内蔵するメモリに記憶するカメラ装置において、前記カメラ装置の外面の異なる位置に配設され、操作されることによって撮影の指示を入力する第１及び第２の撮影指示手段と、撮影者が他者を撮影する第１の撮影モードと撮影者が自己を撮影する第２の撮影モードを設定する撮影モード設定手段と、前記撮影モード設定手段によって第１の撮影モードが設定されたときには前記第１の撮影指示手段の操作のみを有効とし、前記撮影モード設定手段によって第２の撮影モードが設定されたときには前記第２の撮影指示手段の操作のみを有効とする制御手段とを備えることを特徴とする。
【０００７】
これにより、撮影者が意図しない撮影態様における、不用意なシャッタ釦の操作による撮影ミスを防ぐことができる。また、更に、前記撮像手段によって撮像される画像を順次表示し、撮影者が他者を撮影するときに視認可能な第１の姿勢と撮影者が自己を撮影するときに視認可能な第２の姿勢とに状態を変更可能な表示手段と、前記表示手段が前記第１の姿勢と前記第２の姿勢の何れかに状態を変更されたときに、表示される画像の向きを変換させる表示制御手段とを備えたことを特徴とする。
【０００８】
これにより、表示手段を第１の撮影モードと第２の撮影モードの何れにおいても使用することができ、かつ各撮影モードでの撮影様態に応じた画像の表示が行われる。
【０００９】
また、更に、前記撮影モード設定手段は、前記表示手段の姿勢を検出する姿勢検出手段を含み、該姿勢検出手段は、前記表示手段が第１の姿勢であることを検出したときに第１の撮影モードを設定し、前記表示手段が第２の姿勢であることを検出したときに第２の撮影モードを設定することを特徴とする。
【００１０】
これにより、表示手段の姿勢を変更することで撮影モードの変更を凹ことができる。また、更に、撮影者が他者を撮影するときに視認可能な位置に配設され、前記第１の撮影モードが設定されたときに前記撮像手段によって撮像される画像を順次表示する第１の表示手段と、撮影者が自己を撮影するときに視認可能な位置に配設され、前記第２の撮影モードが設定されたときに前記撮像手段によって撮像される画像を順次表示する第２の表示手段とを備えることを特徴とする。
【００１１】
これにより、各撮影モード用の表示手段により、撮像手段によって撮像された画像を表示させることができる。また、撮影の指示に基づいて撮像手段により撮像された撮像信号を、内蔵するメモリに記憶するカメラ装置において、前記カメラ装置の外面の異なる位置に配設され、操作されることによって撮影の指示を入力する第１及び第２の撮影指示手段と、撮影者が他者を撮影する第１の撮影モードと撮影者が自己を撮影する第２の撮影モードを設定する撮影モード設定手段と、前記撮像手段によって撮像される画像を順次表示し、撮影者が他者を撮影するときに視認可能な第１の姿勢と撮影者が自己を撮影するときに視認可能な第２の姿勢とに変更可能な表示手段と、前記表示手段が第１の姿勢にあるときには前記第２の撮影操作キーの操作を阻止し、前記表示手段が第２の姿勢にあるときには前記第１の撮影操作キーの操作を阻止する操作阻止機構とを備えたことを特徴とする。
【００１２】
これにより、撮影者が意図しない撮影態様における、不用意なシャッタ釦の操作による撮影ミスを防ぐことができる。また、更に、前記カメラ装置は、前記メモリに記憶された画像を記録紙に印刷する印刷手段を内蔵したことを特徴とする。
【発明の効果】
【００１３】
以上のように、本発明に係わるカメラ装置によれば、複数の撮影態様に応じて使い分ける複数の撮影指示手段を備えるカメラ装置にあって、撮影態様に対応する撮影指示手段の操作のみを有効とし、或いは撮影態様に対応しない撮影指示手段の操作を阻止するように構成したことによって、撮影者が不用意に撮影態様に対応しない撮影指示手段を操作して撮影ミスが生じるという不都合を解消できる。
【００１４】
また、表示手段には撮影態様に応じて撮像画像を表示することができて、撮影時に被写体の撮影位置合せが容易にでき、また撮影態様によって表示手段が異なる姿勢をとるのに応じて複数の撮影操作手段の操作の有効性を制御するようにしたので、便利であり、撮影ミスにつながるような不都合を確実に防止することができる。
【発明を実施するための最良の形態】
【００１５】
以下、図面を参照して本発明の実施の形態について説明する。図１は本発明の第１実施例に係る電子カメラの外観構成を示す正面から見た斜視図、図２は電子カメラの背面から見た斜視図である。
【００１６】
図１及び図２に示す電子カメラにおいて、カメラ装置１は、ディジタルカメラ部２を備えるとともに、そのディジタルカメラ部２で撮影された画像を印刷するプリンタ部２を備えている。
【００１７】
ディジタルカメラ部２の正面には撮影レンズ４、フラッシュ５が設けられる。ディジタルカメラ部２の上面には撮影時に撮像画像を表示する表示部として液晶表示部６がヒンジ機構７、７によって回動自在に配設される。この液晶表示部６は、図１のようにディジタルカメラ部２の上面に立ち上がった姿勢（第２の姿勢）と図２のようにディジタルカメラ部２の背面側に倒した姿勢（第１の姿勢）とに変更可能である。
【００１８】
撮影者が他者や風景等にレンズ４を向けてそれらを撮影する通常の撮影の場合（第１の撮影モードによる撮影）には、図２のように液晶表示部６をディジタルカメラ部２の背面に倒して使用する。また撮影者が自己或いは自己及びそれに並んだ他者にレンズ４を向けてそれらの被写体を撮影する場合（第２の撮影モードによる撮影）には、図１のように液晶表示部６をディジタルカメラ部２の上面に立てて使用する。
【００１９】
液晶表示部６には、液晶表示部６の姿勢を検知する姿勢検知センサ８が組み込まれている。このセンサ８は、図３（ａ）（ｂ）に示すように、センサ８の姿勢に応じて導電性の可動体９が重力により移動して一対の接点端子１０ａ、１０ｂの間を接続（図３（ａ）に示す状態）または切断（図３（ｂ）に示す状態）することによって、撮影者が他者等を撮影する第１の撮影モードと撮影者が自己等を撮影する第２の撮影モードとを設定するための撮影モード設定スイッチとして働く。
【００２０】
そして、図１及び図２のように、異なる撮影態様（第１の撮影モードと第２の撮影モード）において液晶表示部６がディジタルカメラ部２で撮像された画像を表示するファインダーとして機能する場合に、センサ８が検知する液晶表示部６の姿勢の変更に応じて、表示する撮像画像の向きを１８０°回転させる画像変換が行われ、常に撮影者が正立した画像を見ることができるようにする。
【００２１】
なお、液晶表示部６は、撮影時にビューファインダーとして機能するとともに、撮影後はディジタルカメラ部２内に記憶された画像を再生し表示する。ディジタルカメラ部２の上面には、ディジタルカメラ部２及びプリンタ部３への電源供給を指示するための電源スイッチ１１が設けられ、また撮影モード、再生モード及び印刷モードを設定する動作モード設定キー１２が設けられる。
【００２２】
ディジタル２の上面及び背面には、それぞれシャッタ釦１３ａ、１３ｂが設けられる。シャッタ釦１３ａ（以下、第１のシャッタ釦ともいう。）は、撮影者が他者や風景等を撮影する通常の場合に使用するためのものである。撮影者は図１のカメラ装置１の左側部を右手でホールドし撮影レンズ４を被写体に向け、シャッタ釦１３ａに手指を掛けてこれを操作する。シャッタ釦１３ｂ（以下、第２のシャッタ釦ともいう。）は、撮影者が自己を撮影するためのものであり、撮影者は図１のカメラ装置１の右側部或いは図２では左側部を右手でホールドしレンズ４を被写体である自己或いは自己及びそれに並んだ他者に向け、シャッタ釦１３ｂに手指を掛けてこれを操作する。
【００２３】
シャッタ釦１３ａはディジタルカメラ部２での撮影指示とともに、プリンタ部３の印刷動作の開始も指示する。１４はプリンタ部３に設けられる記録紙の挿入・排出口である。
【００２４】
ディジタルカメラ部２の下部に配設されるプリンタ部３には、サーマルヘッドを備える印刷機構、記録紙の搬送機構等が設けられる。
次に、図４はプリンタを備えたカメラ装置の電子回路を示すブロック図である。ＣＣＤ２１は撮影レンズ４によって結像される画像をアナログ電気信号に変換し出力する撮像素子（光電変換素子）であり、撮影レンズ４とともに撮像手段を構成する。ドライバ２２はＣＣＤ２１を駆動する回路であり、タイミング・ジュエネレータ２３から出力されるタイミング信号に従ってＣＣＤ２１を駆動する。アナログ・ディジタル変換回路２５は増幅器２４により増幅されたアナログ信号をディジタル信号に変換する回路である。画像メモリ２６はアナログ・ディジタル変換回路２５によって変換されたディジタル信号を複数画面記憶するメモリである。ＣＰＵ２７はＲＯＭ２８に記憶された制御プログラムに基づいてディジタルカメラ部２及びプリンタ部３を制御する。２９は光量を調整してフラッシュ５を発光させるフラッシュ制御回路である。ビデオ信号発生部３０は、アナログ・ディジタル変換回路２５又は画像メモリ２６から出力されるディジタル画像信号に同期信号等を付加してディジタルビデオ信号を生成する。ＶＲＡＭ３１はディジタルビデオ信号を記憶するメモリである。ディジタル・アナログ変換回路３２はビデオ信号発生部３０から出力されたディジタルビデオ信号をアナログビデオ信号に変換し、表示部である液晶表示器６に出力する回路である。液晶表示器６はディジタル・アナログ変換回路３２から増幅器３３を介して供給されるアナログビデオ信号に基づいて液晶を駆動し、撮影画像を表示する。また、姿勢検知センサ８、電源スイッチ１１、動作モード設定キー１２、シャッタ釦１３ａ、１３ｂがＣＰＵ２７に接続されて操作信号が入力される。
【００２５】
３４は撮影モードを管理するためのフラグＦ等を記憶するフラグメモリである。姿勢検知スイッチ８によって第１の撮影モードが設定された場合にはフラグＦは“０”に設定され、第２の撮影モードが設定されるとフラグＦは“１”に設定される。
【００２６】
プリンタ部３は、ディジタルカメラ部２の画像メモリ２６に記憶された撮影画像の画像データを印刷する。
このカメラ装置では、動作モードキー１２が撮影モードに設定されている場合には、シャッタ釦１３ａ又は１３ｂが操作されることにより、ＣＣＤ２１から１画面分のアナログ信号が出力され、アナログ・ディジタル変換回路２５でディジタル信号に変換されて画像データとして画像メモリ２６に記憶される。そして、画像メモリ２６に記憶された画像データに基づいて印刷データが作成されプリンタ部３で記録紙に画像が印刷される。撮影モード時には液晶表示部６はビューファインダーとして機能してＣＣＤ２１からの出力に基づいて画像が表示される。
【００２７】
次に、本実施形態におけるカメラ装置の撮影処理の動作について説明する。図５には、撮影処理のフローチャートを示している。
液晶表示部６の姿勢を検知する姿勢検知センサ８の出力に応じて、図２のように液晶表示部６がディジタルカメラ部２の背面側に倒れていれば他者を撮影する第１の撮影モードが設定され、図１のように液晶表示部６がディジタルカメラ部２の上面に立ち上がっていれば自己を撮影する第２の撮影モードが設定される。
【００２８】
すなわち、ＣＰＵ２７は、液晶表示部６がディジタルカメラ部２の背面側に対応されたことをセンサ８によって検知すると、フラグメモリ３４に格納されるフラグＦの値を“０”にし、液晶表示部６がディジタルカメラ部２の上面に立ち上げられたことを検知すると、フラグＦの値を“１”にする。
【００２９】
第１の撮影モード（Ｆ＝０）が設定されている場合には、第１のシャッタ釦１３ａの操作が有効となり（ステップＳ１，Ｓ２，Ｓ３，Ｓ４）、第２のシャッタ釦１３ｂの操作は無効となる（ステップＳ５，Ｓ６）。また、第２の撮影モード（Ｆ＝１）が設定されている場合には、第２のシャッタ釦１３ｂの操作が有効となり（ステップＳ５，Ｓ６，Ｓ７，Ｓ８）、第１のシャッタ釦１３ａの操作は無効となる（ステップＳ１，Ｓ２）。
【００３０】
ここで、第１の撮影モードから第２の撮影モードに切り変えられた場合、すなわち液晶表示部６の状態を第１の姿勢から第２の姿勢に変更した場合、ＣＰＵ２７は、画像メモリ２６から読み出した１画面の画像データに対して撮像画像の向きを１８０°回転させる画像変換を施してＶＲＡＭ３１に書き込み、第２の姿勢の状態で正立した画像を見ることができるように液晶表示部６に表示させる。
【００３１】
また逆に、第２の撮影モードから第１の撮影モードに切り変えられた場合、すなわち液晶表示部６の状態を第２の姿勢から第１の姿勢に変更した場合、ＣＰＵ２７は、画像メモリ２６から読み出した１画面の画像データに対して撮像画像の向きを１８０°回転させる画像変換を施してＶＲＡＭ３１に書き込み、第１の姿勢の状態で正立した画像を見ることができるように液晶表示部６に表示させる。
【００３２】
なお、動作モード設定キー１２が再生モードに設定された場合には、画像メモリ２６に記憶された撮影画像の画像データを液晶表示部６に表示させ、動作モードが印刷モードに設定されている場合には、第１のシャッタ釦１３ａの操作によって画像メモリ２６に記憶されている撮影画像の画像データをプリンタ部３で印刷することができる。
【００３３】
また、前述した第１の実施形態では、１つの液晶表示部６が設けられ、第１の撮影モードまたは第２の撮影モードの何れによる撮影を行うかによって、第１の姿勢と第２の姿勢の何れかに状態を変更して使用されているが、各撮影モード用の表示部を設けた構成とすることもできる。
【００３４】
すなわち、撮影者が他者を撮影するときに視認可能な位置に配設され、第１の撮影モードが設定されたときに撮像手段によって撮像される画像を順次表示する第１の表示部と、撮影者が自己を撮影するときに視認可能な位置に配設され、第２の撮影モードが設定されたときに撮像手段によって撮像される画像を順次表示する第２の表示部とを設ける。
【００３５】
次に、本発明の第２実施形態について説明する。図６及び図７は本発明の第２実施形態におけるカメラ装置の外観構成を示す斜視図である。第１の実施形態におけるカメラ装置では、姿勢検知スイッチ８による撮影モードの設定に応じて、２つのシャッタ釦１３ａ，１３ｂのうちの一方の操作のみを有効とするように制御したが、第２実施形態のカメラ装置では、機構的に２つのシャッタ釦１３ａ，１３ｂに対する入力を制御する。
【００３６】
すなわち、第２実施形態のカメラ装置には、図６及び図７に示すように、液晶表示部６に第１の釦カバー片３５ａ及び第２の釦カバー片３５ｂが設けられている。
【００３７】
例えば、液晶表示部６をディジタルカメラ部２上に立てた自己を撮影する態様（図６）では、ディジタルカメラ部２上に液晶表示部６を立ち上げると第１の釦カバー片３５ａが第１のシャッタ釦１３ａの上を覆いその操作を不能にする。このとき第２のシャッタ釦１３ｂの操作だけが可能である。
【００３８】
また、液晶表示部６をディジタルカメラ部２の背面側に倒した他者を撮影する態様（図７）では、第２の釦カバー片３５ｂが第２のシャッタ釦１３ｂの上を覆いその操作を不能にする。このとき第１のシャッタ釦１３ａの操作だけが可能である。
これにより、液晶表示部６の姿勢を変更するだけで、２つのシャッタ釦１３ａ，１３ｂに対する入力を機構的に何れか一方に制限することができる。
【図面の簡単な説明】
【００３９】
【図１】本発明の第１実施例に係る電子カメラの正面から見た斜視図。
【図２】本発明の第１実施例に係る電子カメラの背面から見た斜視図。
【図３】図１中に示すセンサ８の構成の一例を示す断面図。
【図４】本発明におけるカメラ装置の電子回路の構成を示すブロック図。
【図５】第１実施形態における撮影処理を説明するためのフローチャート。
【図６】本発明の第２実施例に係る電子カメラの正面から見た斜視図。
【図７】本発明の第２実施例に係る電子カメラの背面から見た斜視図。
【符号の説明】
【００４０】
１…カメラ装置
２…ディジタルカメラ部
３…プリンタ部
４…撮影レンズ
５…フラッシュ
６…液晶表示部
７…ヒンジ機構
８…センサ
１１…電源スイッチ
１２…動作モード設定キー
１３ａ，１３ｂ…シャッタ
１４…挿入・排出口
【図１】
2006174444.tif 000003
【図２】
2006174444.tif 000004
【図３】
2006174444.tif 000005
【図４】
2006174444.tif 000006
【図５】
2006174444.tif 000007
【図６】
2006174444.tif 000008
【図７】
2006174444.tif 000009
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
撮影の指示に基づいて撮像手段により撮像された撮像信号を、内蔵するメモリに記憶するカメラ装置において、
前記メモリに記憶されている画像データを記録紙に印刷する印刷手段と、
シャッタ釦と、
撮影モードと印刷モードを設定するモード設定手段と、
前記撮影モードが設定されている場合に前記シャッタ釦が操作された場合、前記撮像手段により撮像された撮像信号を画像データとして前記メモリに記憶する第１の制御手段と、
前記印刷モードが設定されている場合に前記シャッタ釦が操作された場合、前記メモリに記憶されている画像データを前記印刷手段に印刷させる第２の制御手段と、
を備えることを特徴とするカメラ装置。
【請求項２】
前記第１の制御手段は、前記撮像手段により撮像された撮像信号を画像データとして前記メモリに記憶した後に、前記画像データを前記印刷手段により記録紙に印刷することを特徴とする請求項１に記載のカメラ装置。
【請求項３】
前記印刷手段は、サーマルヘッドを備えることを特徴とする請求項１または請求項２に記載のカメラ装置。
【手続補正２】
【補正対象書類名】明細書
【補正対象項目名】０００４
【補正方法】変更
【補正の内容】
【０００４】
しかしながら、従来のカメラ装置では、複数のシャッタ釦を異なる位置に設けた場合には、撮影者がカメラをホールドする際に意図しないで、一方のシャッタ釦に接触してこれを操作してしまう虞があり、操作ミスが生じる可能性があり、また、シャッタ釦は撮影を指示するのみのものであった。
【手続補正３】
【補正対象書類名】明細書
【補正対象項目名】０００５
【補正方法】変更
【補正の内容】
【０００５】
本発明は、前記のような問題に鑑みなされたもので、他者を撮影するために使用するシャッタ釦と自己を撮影するために使用するシャッタ釦を備えるカメラ装置にあって、撮影者が意図しない不用意なシャッタ釦の操作による操作ミスを防ぎ、シャッタ釦により撮影画像の記録または記録された画像の印刷を選択的に行えることができるカメラ装置を提供することを目的とする。
【手続補正４】
【補正対象書類名】明細書
【補正対象項目名】０００６
【補正方法】変更
【補正の内容】
【０００６】
本発明は、撮影の指示に基づいて撮像手段により撮像された撮像信号を、内蔵するメモリに記憶するカメラ装置において、前記メモリに記憶されている画像データを記録紙に印刷する印刷手段と、シャッタ釦と、撮影モードと印刷モードを設定するモード設定手段と、前記撮影モードが設定されている場合に前記シャッタ釦が操作された場合、前記撮像手段により撮像された撮像信号を画像データとして前記メモリに記憶する第１の制御手段と、前記印刷モードが設定されている場合に前記シャッタ釦が操作された場合、前記メモリに記憶されている画像データを前記印刷手段に印刷させる第２の制御手段とを備えることを特徴とする。
【手続補正５】
【補正対象書類名】明細書
【補正対象項目名】０００７
【補正方法】変更
【補正の内容】
【０００７】
これにより、撮影者が意図しない不用意な操作による操作ミスを防ぐことができる。
【手続補正６】
【補正対象書類名】明細書
【補正対象項目名】０００８
【補正方法】変更
【補正の内容】
【０００８】
また、更に、前記第１の制御手段は、前記撮像手段により撮像された撮像信号を画像データとして前記メモリに記憶した後に、前記画像データを前記印刷手段により記録紙に印刷することを特徴とする。
【手続補正７】
【補正対象書類名】明細書
【補正対象項目名】０００９
【補正方法】変更
【補正の内容】
【０００９】
また、更に、前記印刷手段は、サーマルヘッドを備えることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
以上のように、本発明に係わるカメラ装置によれば、複数の撮影態様に応じて使い分ける複数の撮影指示手段を備えるカメラ装置にあって、モード設定手段の設定状態に応じてシャッタ釦の操作により撮影画像の記録、もしくは記録された画像の印刷を行うように構成したことによって、撮影者が不用意に操作して操作ミスが生じるという不都合が解消でき、また、シャッタ釦により撮影画像を記録するもしくは記録されている画像を印刷することが選択的に行える。
【手続補正１２】
【補正対象書類名】明細書
【補正対象項目名】００１４
【補正方法】削除
【補正の内容】